(57)【要約】【課題】保守点検に要する時間を短縮し、保守点検中であることをエレベータ利用者に対して速やかに知らせることができるエレベータの制御装置を提供する。【解決手段】エレベータの制御装置は、乗りかご１の側壁にこの乗りかご１の室内から開閉可能に設けられ、開放位置に位置する場合に乗りかご１の外側に取付けられるかご制御装置５を乗りかご１の室内に露出させる点検用扉６と、点検用扉６を施錠状態と施錠解除状態とに切替可能な扉鍵７と、扉鍵７が施錠解除されていることを施錠検知部８が検知した場合に運転状態設定部９を点検運転に設定する手段と、扉鍵７が施錠解除されていることを施錠検知部８が検知した場合に表示部１０に点検中である旨を表示させる手段と、を備える。【選択図】    図１
2008133129.tif 000002
【特許請求の範囲】
【請求項１】
乗りかごの側壁にこの乗りかごの室内から開閉可能に設けられ、開放位置に位置する場合に前記乗りかごの外側に取付けられるかご制御装置を前記乗りかごの室内に露出させる点検用扉と、
前記点検用扉を施錠状態と施錠解除状態とに切替可能な扉鍵と、
前記扉鍵が施錠されているか施錠解除されているかを検知する施錠検知部と、
各階床のエレベータ乗り場に設けられ、エレベータが点検中であることを表示する表示部と、
エレベータの運転状態を通常運転または点検運転のいずれかに設定可能な運転状態設定部と、
前記扉鍵が施錠解除されていることを前記施錠検知部が検知した場合に、前記運転状態設定部を点検運転に設定する手段と、
前記扉鍵が施錠解除されていることを前記施錠検知部が検知した場合に、前記表示部に点検中である旨を表示させる手段と、
を備えることを特徴とするエレベータの制御装置。
【請求項２】
前記扉鍵が施錠されたことを前記施錠検知部が検知した場合に、前記運転状態設定部を通常運転に設定する手段と、前記表示部に表示されている点検中である旨の表示を終了させる手段とを有することを特徴とする請求項１記載のエレベータの制御装置。
【発明の詳細な説明】
【技術分野】
【０００１】
本発明は、エレベータの制御装置に関し、特に、エレベータ利用者に対してエレベータが保守点検中であることを速やかに知らせることができるエレベータの制御装置に関する。
【背景技術】
【０００２】
例えば、下記特許文献１に記載されているように、エレベータの乗りかごに取付けられているかご制御装置の保守点検を、乗りかごの室内から行えるようにしたエレベータの乗りかごが知られている。
【０００３】
かご制御装置の保守点検時には、保守点検を行う作業員が乗りかご内に入り、乗りかごの側壁に設けられている保守用扉を開き、保守用扉に覆われているかご制御装置を乗りかご１の室内に露出させる。
【０００４】
このエレベータの乗りかごによれば、保守点検の作業スペースとして乗りかご内の広いスペースを利用することができる。このため、かご制御装置の保守点検を容易に行うことができ、しかも、安全に行うことができる。
【特許文献１】特開平７−２３７８５８号公報
【発明の開示】
【発明が解決しようとする課題】
【０００５】
しかしながら、前述のエレベータの乗りかごにおいては、以下の点について配慮がなされていない。
【０００６】
かご制御装置の保守点検を行う場合には、作業員が乗りかごを手動操作で各階床毎に停止させ、エレベータの乗り場に作業中であることを表示する作業札を取付け、エレベータ利用者に対して保守点検中であることを知らせている。保守点検の作業が終了した後には、作業員が乗りかごを手動操作で各階床毎に停止させ、エレベータの乗り場に取付けた作業札を取外している。
【０００７】
これらの作業札を取付ける作業及び取外す作業は、時間と手間とが掛かり、保守点検の作業時間を長引かせる原因となっている。また、保守点検を開始してから全ての階床の乗り場に作業札を取付けるまでには時間がかかるため、エレベータ利用者に対して保守点検が行われていることを速やかに知らせることができない。
【０００８】
本発明はこのような課題を解決するためになされたもので、その目的は、保守点検に要する時間を短縮し、保守点検中であることをエレベータ利用者に対して速やかに知らせることができるエレベータの制御装置を提供することである。
【課題を解決するための手段】
【０００９】
本発明の実施の形態に係る第１の特徴は、エレベータの制御装置において、乗りかごの側壁にこの乗りかごの室内から開閉可能に設けられ、開放位置に位置する場合に前記乗りかごの外側に取付けられるかご制御装置を前記乗りかごの室内に露出させる点検用扉と、前記点検用扉を施錠状態と施錠解除状態とに切替可能な扉鍵と、前記扉鍵が施錠されているか施錠解除されているかを検知する施錠検知部と、各階床のエレベータ乗り場に設けられ、エレベータが点検中であることを表示する表示部と、エレベータの運転状態を通常運転または点検運転のいずれかに設定可能な運転状態設定部と、前記扉鍵が施錠解除されていることを前記施錠検知部が検知した場合に、前記運転状態設定部を点検運転に設定する手段と、前記扉鍵が施錠解除されていることを前記施錠検知部が検知した場合に、前記表示部に点検中である旨を表示させる手段と、を備えることである。
【発明の効果】
【００１０】
本発明によれば、かご制御装置の保守点検時には、エレベータの運転状態を自動的に点検運転に設定することができ、さらに、各階床のエレベータ乗り場に設けられている表示部に点検中であることを速やかに表示することができる。
【発明を実施するための最良の形態】
【００１１】
以下、本発明の実施の形態を図面を用いて説明する。
【００１２】
本発明の一実施の形態に係るエレベータの乗りかご１は、エレベータ昇降路内に昇降可能に設置され、機械室内に設置されているメイン制御装置２により制御され、昇降される。
【００１３】
乗りかご１の側壁の一面には出入口扉３が設けられ、この出入口扉３が設けられている面にかご内操作盤４が取付けられている。かご内操作盤４には、乗りかご１内から行先階を指示する行先階ボタンや、出入口扉３の開閉ボタンや、非常呼びボタン等の各種ボタン（図示せず）が設けられている。
【００１４】
乗りかご１の側壁の一面であって出入口扉３に対向する面の外側には、かご制御装置５が取付けられている。このかご制御装置５は、かご内操作盤４の各種ボタンの操作により発生する信号を入力するとともに、入力された信号をメイン制御装置２に送信したり、及び、メイン制御装置２から送信される各種の信号を受信する。かご内操作盤４は、メイン制御装置２から送信される信号やかご内操作盤４から入力される信号に応じ、出入口扉３の開閉や、各種ボタンの点灯等の乗りかご１内の各部を制御する。
【００１５】
乗りかご１の側壁の一面であってかご制御装置５が取付けられている面には、図２に示すように、乗りかご１の室内から開閉可能な点検用扉６が設けられている。点検用扉６は観音開き方式に回動可能であり、閉止位置に回動した場合にはかご制御装置５を乗りかご１の室内から見えないように覆い、開放位置に回動した場合にはかご制御装置５が乗りかご１の室内に露出される。
【００１６】
乗りかご１内には、点検用扉６を施錠状態と施錠解除状態とに切替可能な扉鍵７が設けられている。扉鍵７を施錠状態に切替えることにより、点検用扉６が閉止位置で固定される。扉鍵７を施錠解除状態に切替えることにより、点検用扉６を開放位置に回動させることが可能となる。
【００１７】
メイン制御装置２には、扉鍵７の施錠状態と施錠解除状態とを検知し、この検知結果に応じた指令信号を出力する施錠検知部８と、扉鍵７の施錠状態に応じてエレベータの運転状態を通常運転または点検運転のいずれかに設定する運転状態設定部９とが設けられている。
【００１８】
各階床のエレベータ乗り場には、エレベータが点検中であることを表示する表示部１０が設けられている。表示部１０としては、点検中に点灯し、非点検中に消灯するランプ形式のものや、点検中である旨を文字表示する液晶表示装置等を用いることができる。
【００１９】
かご制御装置５の点検時の制御について、図３のフローチャートに基づいて説明する。施錠検知部８は、扉鍵７の施錠が解除されたか否かを検知している（Ｓ１）。乗りかご１の運転状態が通常運転の場合には、扉鍵７は施錠されている。
【００２０】
かご制御装置５の保守点検時には、保守点検の作業員が乗りかご１内に入り込み、乗りかご１内に入り込んだ作業員が扉鍵７の施錠を解除し、点検用扉６を開放位置へ回動し、かご制御装置５を乗りかご１内に露出させる。
【００２１】
扉鍵７の施錠が解除されたことが施錠検知部８で検知された場合は（Ｓ１のＹＥＳ）、この検知結果に基づいて、施錠検知部８から運転状態設定部９に対して乗りかご１の運転状態を点検運転に設定する指令信号が出力されて乗りかご１の運転状態が点検運転となり（Ｓ２）、運転状態設定部９を点検運転に設定する手段が実行される。さらに、施錠検知部８から表示部１０に対して点検中である旨を表示させる指令信号が出力されて表示部１０に「点検中」の表示が行われ（Ｓ３）、表示部１０に点検中である旨を表示させる手段が実行される。
【００２２】
施錠検知部８から運転状態設定部９に対して乗りかご１の運転状態を点検運転に設定する指令信号が出力されると、乗りかご１の運転モードが点検運転モードとなり、乗りかご１は乗り場呼びに応答しない状態となる。また、施錠検知部８から表示部１０に対して点検中である旨を表示させる指令信号が出力されると、全ての階床の表示部１０において点検中である旨の表示が行われる。
【００２３】
扉鍵７の施錠が解除され、乗りかご１の運転状態が点検運転に切替えられ、及び、表示部１０に点検中の表示が行われた後は、扉鍵７が施錠されたか否かが施錠検知部８により検知される（Ｓ４）。かご制御装置５の保守点検中は、点検用扉６が開放位置に回動された状態に維持され、扉鍵７が施錠を解除した状態に維持される。かご制御装置５の保守点検が終了した場合は、点検用扉６が閉止位置に回動され、扉鍵７が施錠される。
【００２４】
扉鍵７が施錠されたことが施錠検知部８で検知された場合は（Ｓ４のＹＥＳ）、この検知結果に基づいて、施錠検知部８から運転状態設定部９に対して乗りかご１の運転状態を通常運転に設定する指令信号が出力されて乗りかご１の運転状態が通常運転に戻り（Ｓ５）、運転状態設定部９を通常運転に設定する手段が実行される。さらに、施錠検知部８から表示部１０に対して点検中である旨の表示を終了させる指令信号が出力されて表示部１０の「点検中」の表示が終了され（Ｓ６）、表示部１０の点検中である旨の表示を終了させる手段が実行される。
【００２５】
施錠検知部８から運転状態設定部９に対して乗りかご１の運転状態を通常運転に設定する指令信号が出力されると、乗りかご１の運転モードが通常運転モードとなり、乗りかご１は乗り場呼びに応答する状態に復帰する。また、施錠検知部８から表示部１０に対して点検中である旨の表示を終了させる指令信号が出力されると、全ての階床の表示部１０において点検中である旨の表示が終了する。
【００２６】
このような構成において、乗りかご１に取付けられたかご制御装置５の保守点検時には、作業員が乗りかご１内に入り込み、扉鍵７の施錠を解除して点検用扉６を開放位置へ回動させることにより、かご制御装置５を乗りかご１の室内に露出させることができる。このため、保守点検の作業スペースとして乗りかご１内の広いスペースを利用することができ、かご制御装置５の保守点検を容易に行うことができ、しかも、保守点検を安全に行うことができる。
【００２７】
かご制御装置５の保守点検を開始する場合の手順として、扉鍵７の施錠を解除し、点検用扉６を開放位置へ回動させ、かご制御装置５を乗りかご１の室内に露出させる。この作業手順の途中における扉鍵７の施錠が解除されることにより、扉鍵７の施錠が解除されたことを検知した施錠検知部８から指令信号が出力され、乗りかご１の運転が自動的に点検運転に切替わり、全ての階床の表示部１０に点検中である旨が表示される。
【００２８】
このため、保守点検の作業員が、全ての階床のエレベータの乗り場に保守点検の作業中であることを表示する作業札を取付けるという作業が不要となり、保守点検作業を速やかに開始することができ、保守点検に要する時間を短縮することができる。また、点検運転への切替えを迅速に、かつ、確実に行うことができる。さらに、エレベータ利用者に対して保守点検作業が開始されたことを速やかに知らせることができる。
【００２９】
かご制御装置５の保守点検が終了した後の作業手順として、点検用扉６を閉止位置に回動させ、扉鍵７を施錠する。この作業手順の最後における扉鍵７が施錠されることにより、扉鍵７が施錠されたことを検知した施錠検知部８から指令信号が出力され、乗りかご１の運転が通常運転に切替わり、全ての階床の表示部１０における点検中である旨の表示が終了する。
【００３０】
このため、全ての階床のエレベータの乗り場から、保守点検の作業中であることを表示するために取付けておいた作業札を取外すという作業が不要となり、保守点検作業を速やかに終了することができ、保守点検に要する時間を短縮することができる。また、通常運転への切替えを迅速に、かつ、確実に行うことができる。さらに、エレベータ利用者に対して保守点検作業が終了したことを速やかに知らせることができる。
【図面の簡単な説明】
【００３１】
【図１】本発明の第１の実施の形態に係るエレベータの制御装置の概略を示すブロック図である。
【図２】点検用扉と扉鍵とを示す正面図である。
【図３】かご制御装置の点検時の制御について説明するフローチャートである。
【符号の説明】
【００３２】
１      乗りかご
２      メイン制御装置
５      かご制御装置
６      点検用扉
７      扉鍵
８      施錠検知部
９      運転状態設定部
１０      表示部
【図１】
2008133129.tif 000003
【図２】
2008133129.tif 000004
【図３】
2008133129.tif 000005